(57)【要約】      （修正有）【課題】歩留まり向上と製品のコストダウンに寄与する光量調節装置及びそれを備えたカメラを提供する。【解決手段】シャッタ装置２１の押さえ板３４は光学的開口部３９を有し遮光幕３５を基板３７との間に移動可能に保持する。スペーサ３６は基板３７と押さえ板３４との間隔を維持する。遮光幕３５は予め所望のピッチで電気的な分極（エレクトレット）が施されている。基板３７は光学的開口部２２に近接する退避部２３側に、遮光幕３５を駆動するに必要な最小本数である駆動信号の相数（４相）と同数（４本）の帯状電極３８を備えている。遮光幕３５は光学的開口部２２から退避部２３に退避した状態から、退避部２３から移動して光学的開口部２２を塞ぐ状態に至るまで、基板３７に設けられた４本の帯状電極３８と常に対向するように構成される。【選択図】図８Ａ
2006018105.tif 000002
【特許請求の範囲】
【請求項１】
少なくとも、予め所望の間隔で分極された遮光幕と、該遮光幕を駆動するための帯状電極と、光学的開口部を有する基板と、を備えた光量調節装置であって、
前記帯状電極は、前記遮光幕の移動方向において前記遮光幕の移動範囲よりも狭い範囲に設けられていることを特徴とする光量調整装置。
【請求項２】
前記帯状電極は、前記遮光幕を駆動する駆動信号の相数と同じ本数が設けられ、該相数と同じ本数が前記遮光幕の移動範囲において常に前記遮光幕と対向していることを特徴とする請求項１記載の光量調整装置。
【請求項３】
前記帯状電極は、前記遮光幕が光学的開口部から退避した範囲にも更に設けられていることを特徴とする請求項２記載の光量調節装置。
【請求項４】
前記帯状電極は、前記遮光幕が光学的開口部と重なる範囲にも更に設けられていることを特徴とする請求項２記載の光量調節装置。
【請求項５】
前記遮光幕を前記基板との間に移動可能に保持する押さえ板を更に具備することを特徴とする請求項１記載の光量調節装置。
【請求項６】
請求項１乃至６のいずれかに記載の光量調整装置を光学系のシャッタ位置又は絞り位置に備えたことを特徴とするカメラ。
【発明の詳細な説明】
【技術分野】
【０００１】
本発明は、歩留まり向上と製品のコストダウンに寄与する光量調節装置に関する。
【背景技術】
【０００２】
従来、カメラのシャッタ機構のような光量調節装置に誘電電荷型アクチュエータを応用したカメラ用シャッツタ、絞り装置が提案されている。その機構としては１個のステータ（固定子）に対しスライダ（移動子）が１個のものと２個のものがあり、いずれもスライダをシャッタ羽根又は絞り羽根として機能させている。（例えば、特許文献１参照。）
【特許文献１】特開平０８−２２０５９２号公報（［要約］、図１、［００１１］、図２）
【発明の開示】
【発明が解決しようとする課題】
【０００３】
ところで、特許文献１に開示されている光量調節装置の基板（固定子）には、遮光幕（移動子）の移動範囲全域に渡って帯状電極が設けられている。そして、その基板に設けられる帯状電極の巾は数十μｍ、その配設ピッチは１００μｍ程度と微細なものであり、これを少なくとも１０ｍｍ以上の範囲全面に配設するとなると、１００本を越える帯状電極を基板に形成する必要がある。
【０００４】
ところが、基板に設けられた帯状電極の１本にでも不具合があれば遮光幕を駆動することが出来ないから不良基板として基板そのものを廃棄せざるを得なくなる。そのようにたとえ１本でも帯状電極に不具合があっただけで基板を廃棄しなければならないのでは、基板生産の歩留まりが低下し、歩留まりが低下すると、基板は極めて高価なものであるから製品基板の単価が大きく上昇するという問題が発生する。
【０００５】
本発明の課題は、上記従来の実情に鑑み、歩留まり向上と製品のコストダウンに寄与する光量調節装置及びそれを備えたカメラを提供することである。
【課題を解決するための手段】
【０００６】
以下に、本発明に係わる光量調節装置及びそれを備えたカメラの構成を述べる。
先ず、第１の発明の光量調節装置は、少なくとも、予め所望の間隔で分極された遮光幕と、該遮光幕を駆動するための帯状電極と、光学的開口部を有する基板と、を備えた光量調節装置であって、上記帯状電極は、上記遮光幕の移動方向において上記遮光幕の移動範囲よりも狭い範囲に設けられているように構成される。
【０００７】
上記帯状電極は、上記遮光幕を駆動する駆動信号の相数と同じ本数が設けられ、該相数と同じ本数が上記遮光幕の移動範囲において常に上記遮光幕と対向しているように構成される。
【０００８】
この光量調節装置において、上記帯状電極は、例えば上記遮光幕が光学的開口部から退避した範囲にも更に設けられるように構成してもよく、また、例えば上記遮光幕が光学的開口部と重なる範囲にも更に設けられるように構成してもよい。
【０００９】
また、この光量調節装置において、例えば上記遮光幕を上記基板との間に移動可能に保持する押さえ板を更に具備するように構成することが好ましい。
次に、第２の発明のカメラは、上述したいずれかの光量調節装置を光学系のシャッタ位置又は絞り位置に備えて構成される。
【発明の効果】
【００１０】
本発明によれば、帯状電極を遮光幕の移動方向において遮光幕の移動範囲よりも狭い範囲に設けるので、基板当たりの帯状電極の不具合発生の可能性を低減することができ、これにより、基板の歩留まり向上と延いては製品コストの低減に寄与することができる光量調節装置及びそれを備えたカメラを提供することが可能となる。
【発明を実施するための最良の形態】
【００１１】
以下、本発明の実施の形態を図面を参照しながら説明する。
図１Ａ、図１Ｂは、本発明の光量調節装置を備えたカメラとしてのデジタルカメラの概略構成を示す図であり、図１Ａはデジタルカメラの前面からの外観を示す斜視図、図１Ｂはデジタルカメラ内部の主要部の配置状態を示す斜視図である。
【００１２】
図１Ａに示すように、デジタルカメラ１は、前面右上隅に撮影レンズ窓２を備え、その左方にストロボ照射窓３を備えている。また、上面の左端部にはレリーズボタン４が設けられている。
【００１３】
図１Ｂに示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１４】
レンズ装置７は、図１Ａの撮影レンズ窓２から図１Ｂに示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１５】
尚、図１Ｂに示すＸＹＺの矢印は、カメラの幅、奥行き、高さの方向を示しており、カメラのＹ方向の厚さが薄いほどカメラ全体が薄型となり、近年のデジタルカメラへのユーザ志向である小型化・薄型化に適合する構成となる。
【００１６】
図２は、図１Ｂに示すレンズ装置７のＡ−Ａ´矢視断面をデジタルカメラ１の図１Ｂの左方から見た図であり、レンズユニット各部の概略の構成を示している。図１Ｂに示したレンズ装置７の内部には、この図２に示すように、上記下方に折り曲げられた第２の光軸Ｏ２に沿って第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、第２の固定鏡枠部１７にレンズが保持され第２の固定レンズ部１８及びこれらのレンズ部の終端に配置された撮像素子１９とで構成されている。
【００１７】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１８】
図３は、左に、図１Ｂに示したレンズ装置７をデジタルカメラ１の図１Ｂの背面側から見た拡大斜視図を示し、右に、そのシャッタ装置（又は絞り装置）を単独に示している。図３に示すように、レンズ装置７には、図２に示したシャッタ位置（絞り位置）２０にシャッタ装置（又は絞り装置、以下同様）２１が組み込まれている。シャッタ装置２１は、図３の右に示すように、長方形の平らな板状体をなす装置であり、第２の光軸Ｏ２の透過路となる光学的開口部２２と、この光学的開口部２２に隣接する退避部２３を有している。
【００１９】
このシャッタ装置２１の光学的開口部２２を透過する第２の光軸Ｏ２の終端すなわちレンズ装置７の下端部には、図２にも示した撮像素子１９が配置されている。
ここで、本例におけるシャッタ装置２１における遮光幕を駆動するシャッタ機構の駆動原理を説明する。尚、説明を判り易くするために、帯状の複数の帯状電極が基板の光学的開口部と周辺縁部を除く全面に配設されている場合の例を取り上げて説明する。
【００２０】
図４Ａ、図４Ｂは、本発明のシャッタ装置におけるシャッタ機構の駆動原理を説明する図である。尚、以下の駆動原理の説明では、基板に代えて固定子と言い、遮光幕に代えて移動子と言うことにする。
【００２１】
本シャッタ機構は、基本的に内部に固定子２４と移動子２５とを備え、移動子２５は、固定子２４に対して図４Ａ、図４Ｂに示すように左右方向に移動自在に構成されている。そして、固定子２４には、被写体からの光像を撮像素子（図２、図３の撮像素子１９参照）に導くための開口部（光学的開口部２６）が設けられ、更に、帯状の複数の帯状電極２７が所定の間隔で並べて形成されている。他方の移動子２５は、遮光性を有する部材であり、永久分極された誘電体の部位を備えている。このような移動子２５の構成はエレクトレットと呼ばれている。
【００２２】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２３】
上記のシャッタ機構において、帯状電極２７に正負の電圧を周期的に印加すると、帯状電極２７と移動子２５の上記エレクトレットとの間に吸引力又は反発力が発生し、結果的に移動子２５が固定子２４に対して相対移動する。
【００２４】
したがって、移動子２５が固定子２４の開口部（光学的開口部２６）を開放又は遮蔽するように移動可能にすることによってシャッタ機構を構成することができる。図４Ａはシャッタが開の状態を示し、図４Ｂはシャッタが閉の状態を示している。以下、本構成に係るシャッタ機構を「エレクトレットシャッタ」と称することにする。
【００２５】
なお、固定子２４の開口部（光学的開口部２６）は、必ずしも貫通孔のような物理的な開口部とする必要はなく、固定子２４を透過部材とし、開口部に相当する位置に帯状電極２７が設けられていない透過領域を形成するようにしても良い。
【００２６】
図５は、エレクトレットシャッタとその駆動回路を模式的に示す図である。同図は右にエレクトレットシャッタの断面を模式的に示し、左に駆動回路をブロック図で示している。同図に示すように、固定子２４に並べられたそれぞれの帯状電極２７には、駆動（電圧印加）回路２８からの電圧信号線が接続されている。この電圧信号線には４相の電圧信号が印加され、従って、帯状電極２７には、４本毎に同一の電圧信号が印加される。図５では、帯状電極２７にＡ、Ｂ、Ｃ、Ｄの符号を付してこの電圧信号を区別している。
【００２７】
この固定子２４の帯状電極２７の配設面に対向して移動子２５が配置されている。移動子２５には、固定子２４との対向面に永久分極された上述した誘電体（エレクトレット）２９を複数備えている。
【００２８】
同図の左に示す駆動回路２８では、パルス発生回路３１で矩形波列（駆動パルス信号）が生成され、この駆動パルス信号が昇圧回路３２と位相器３３に供給される。昇圧回路３２では、入力した駆動パルス信号を１００Ｖ程度まで昇圧するとともに、２つの極性を有する電圧信号に分岐して、帯状電極Ａ及びＣに供給する。
【００２９】
他方、位相器３３に入力した駆動パルス信号は、９０°位相が遅れた波形となり、その後、昇圧回路３２に入力されて、上述と同様の２つの極性を有する電圧信号に分岐されて帯状電極Ｂ及びＤに供給される。
【００３０】
図６は、駆動回路２８によって生成されて帯状電極２７に印加される電圧信号列を示す図である。帯状電極２７の電圧の状態は、期間Ｔにおけるｔ１〜ｔ４の４つの状態変化が時間ｔにおける期間Ｔごとの経過に対応して繰り返される。
【００３１】
図７Ａ〜図７Ｄは、上記のエレクトレットシャッタの動作を更に説明する図である。図７Ａは図６において各帯状電極２７（Ａ，Ｂ，Ｃ，Ｄ）の電圧状態が、図６に示したｔ１の印加電圧の状態に切り替った直後のエレクトレットと帯状電極との対応関係を示している。
【００３２】
エレクトレット２９ａは、帯状電極Ａから反発力を受け、帯状電極Ｂから吸引力を受ける。また、エレクトレット２９ｂは、帯状電極Ｃから反発力を受け、帯状電極Ｄから吸引力を受ける。このため、移動子２５は図の右方向に力を受けて、１つの帯状電極ピッチｄだけ移動する。
【００３３】
図７Ｂは、上記に続いて図６に示したｔ２の印加電圧の状態に切り替った直後のエレクトレットと帯状電極との対応関係を示している。エレクトレット２９ａは、帯状電極Ｂから反発力を受け、帯状電極Ｃから吸引力を受ける。また、エレクトレット２９ｂは、帯状電極Ｄから反発力を受け、帯状電極Ａから吸引力を受ける。このため、移動子２５は図の右方向に力を受けて、再び１つの帯状電極ピッチｄだけ移動する。
【００３４】
図７Ｃは、上記に続いて図６に示したｔ３の印加電圧の状態に切り替った直後のエレクトレットと帯状電極との対応関係を示し、図７Ｄは、図７Ｃに続いて図６に示したｔ４の印加電圧の状態に切り替った直後のエレクトレットと帯状電極との対応関係を示している。図７Ａ、図７Ｂで説明した動作と同様に、移動子２５は、１つの帯状電極ピッチｄだけ順次移動する。
【００３５】
そして、この動作が繰り返されることにより、移動子２５は図の右方向に移動する。なお、移動子２５を図の左方向に移動するためには、帯状電極２７に印加する電圧の極性を逆に切り替えればよい。
【００３６】
このように、本例の移動子２５は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例１】
【００３７】
図８Ａは、図３に示したシャッタ装置２１の第１の実施例の分解斜視図であり、図８Ｂ及び図８Ｃは、そのシャッタ装置２１の動作状態を示す図である。図８Ａに示すシャッタ装置２１は、図の左下から右上に示す押さえ板３４、遮光幕３５、スペーサ３６、基板３７とで構成される。
【００３８】
押さえ板３４は、光学的開口部３９を有し遮光幕３５を基板３７との間に移動可能に保持するために設けられる。そして、スペーサ３６は、基板３７と押さえ板３４との間隔を維持するために設けられている。遮光幕３５は、図では定かに見えないが、予め所望のピッチで電気的な分極（エレクトレット）が施されている。基板３７には、光学的開口部２２に近接して退避部２３（図３参照）側に４本の帯状電極３８が形成されている。帯状電極３８には、図５に示した駆動回路２８が接続されており、駆動回路２８は図５で説明したように遮光幕３５を駆動制御する。
【００３９】
本例では、図５の駆動回路２８に示したように、帯状電極３８に４相の電圧信号が印加されて遮光幕３５が駆動される。本例では帯状電極３８の本数を、遮光幕３５を駆動するに必要な最小本数、すなわち駆動信号の相数（４本）としている。
【００４０】
尚、上記の光学的開口部２２及び３９は、必ずしも貫通孔のような物理的な開口部とする必要はなく、基板３７、押さえ板３４をそれぞれ透明な部材で構成すれば、それで良い。
【００４１】
図８Ｂは、上記構成のシャッタ装置２１において、遮光幕３５が光学的開口部２２（及び３９、以下同様）から退避部２３に退避した状態を示し、図８Ｃは、遮光幕３５が退避部２３から移動して光学的開口部２２を塞いだ状態を示している。図８Ｂ、図８Ｃから分かるように、遮光幕３５は、光学的開口部２２から退避部２３に退避した状態から、退避部２３から移動して光学的開口部２２を塞ぐ状態に至るまで、基板３７に設けられた４本の帯状電極３８と常に対向するようになっている。
【００４２】
よって、この４本の帯状電極３８に駆動回路２８から４相の電圧信号を供給することにより、遮光幕３５を光学的開口部２２から退避部２３に退避した位置から、退避部２３から光学的開口部２２を塞ぐ状態に至るまで駆動することができる。これとは逆方向にも遮光幕３５を駆動できることは勿論である。
【実施例２】
【００４３】
図９Ａは、図３に示したシャッタ装置２１の第２の実施例の分解斜視図であり、図９Ｂ及び図９Ｃは、その第２の実施例としてのシャッタ装置２１の動作状態を示す図である。尚、図９Ａ、図９Ｂ、図９Ｃには図８Ａ、図８Ｂ、図８Ｃと同一の構成部分には図８Ａ、図８Ｂ、図８Ｃと同一の番号を付与して示している。
【００４４】
図９Ａに示す第２の実施例としてのシャッタ装置２１は、図の左下から右上に示す押さえ板３４、遮光幕３５、スペーサ３６、基板３７とで構成される点では、第１の実施例の場合と同様である。但し、本例では、基板３７には、光学的開口部２２に近接して退避部２３側に設けられた４本の帯状電極３８´に更に加えて、これら４本の帯状電極３８´より退避部２３側にも、すなわち遮光幕３５が光学的開口部２２から退避した範囲にも帯状電極３８が設けられている。
【００４５】
そして、図９Ｂ、図９Ｃに示すように、光学的開口部２２に隣接して設けられた駆動信号の相数分（体実施例では４本）の帯状電極３８´だけは、遮光幕３５の移動範囲において常に遮光幕３５と対向するように、遮光幕３５の大きさが設定されている。
【００４６】
このように、４本の帯状電極３８´に更に加えて、これら４本の帯状電極３８´より退避部２３側にも帯状電極３８を配置することにより、遮光幕３５が退避部２３から光学的開口部２２を塞ぐ方向に移動する際に、より大きな駆動力を得ることができる。
【実施例３】
【００４７】
図１０Ａは、図３に示したシャッタ装置２１（本例の場合は絞り装置）の第３の実施例の分解斜視図であり、図１０Ｂ及び図１０Ｃは、その第３の実施例としての絞り装置２１の動作状態を示す図である。尚、図１０Ａ、図１０Ｂ、図１０Ｃには、図８Ａ、図８Ｂ、図８Ｃと同一の構成部分には図８Ａ、図８Ｂ、図８Ｃと同一の番号を付与して示している。
【００４８】
図１０Ａに示す第３の実施例としての絞り装置２１は、図の左下から右上に示す押さえ板３４、絞り孔４１を有する遮光幕４２、スペーサ３６、基板３７とで構成される。本例では、基板３７には、光学的開口部２２に近接して退避部２３側の位置４３に設けられた４本の帯状電極３８´に更に加えて、遮光幕４２が光学的開口部２２と重なる状態の位置４４にも帯状電極３８が設けられえている。
【００４９】
本例においても、図１０Ｂ、図１０Ｃに示すように、光学的開口部２２に隣接して設けられた駆動信号の相数分（体実施例では４本）の帯状電極３８´だけは、遮光幕３５の移動範囲において常に遮光幕３５と対向するように、遮光幕３５の大きさが設定されている。
【００５０】
このように、４本の帯状電極３８´に更に加えて、これら４本の帯状電極３８´より遮光幕４２が光学的開口部２２と重なる状態の位置４４にも帯状電極３８を配置することにより、遮光幕３５が光学的開口部２２に重なった絞り位置の状態から、光学的開口部２２から退避部２３方向に移動する際に、より大きな駆動力を得ることができる。
【００５１】
尚、上述した第１〜第３の実施例では、遮光幕の移動範囲において、常に遮光幕と対向している帯状電極の本数を駆動信号の相数（４本）としたが、相数以上であれば本数は限定されるものではない。
【００５２】
以上説明したように、本発明によれば、基板に設ける帯状電極を少なくとも遮光幕の移動範囲において常に遮光幕と対向する位置に、少なくとも遮光幕を駆動する駆動信号の相数と同じ本数を設けるように構成されるので、遮光幕への駆動力を維持しながら帯状電極の配設数を減らすことができ、これにより、不良帯状電極の発生率を低減させることができ、歩留まり向上と製品のコストダウンに寄与する光量調節装置及びそれを備えたカメラを提供することが可能となる。
【図面の簡単な説明】
【００５３】
【図１Ａ】本発明の光量調節装置を備えたカメラとしてのデジタルカメラの概略構成を示す前面からの外観斜視図である。
【図１Ｂ】図１Ａのデジタルカメラの概略構成を示すためカメラ内部の主要部の配置状態を示す斜視図である。
【図２】図１Ｂに示すレンズ装置のＡ−Ａ´矢視断面をデジタルカメラの図１Ｂの左方から見たレンズユニット各部の概略構成を示す図である。
【図３】左側に、図１Ｂに示したレンズ装置をデジタルカメラの図１Ｂの背面側から見た拡大斜視図を示し、右側に、そのシャッタ装置（又は絞り装置）を単独に示している。
【図４Ａ】本発明のシャッタ装置のシャッタ機構の駆動原理を説明する図（その１）である。
【図４Ｂ】本発明のシャッタ装置のシャッタ機構の駆動原理を説明する図（その２）である。
【図５】本発明のシャッタ装置に係わるエレクトレットシャッタとその駆動回路を模式的に示す図である。
【図６】エレクトレットシャッタの駆動回路によって生成されて帯状電極に印加される電圧信号列を示す図である。
【図７Ａ】エレクトレットシャッタの動作を更に説明する図（その１）である。
【図７Ｂ】エレクトレットシャッタの動作を更に説明する図（その２）である。
【図７Ｃ】エレクトレットシャッタの動作を更に説明する図（その３）である。
【図７Ｄ】エレクトレットシャッタの動作を更に説明する図（その４）である。
【図８Ａ】図３に示したシャッタ装置の第１の実施例の分解斜視図である。
【図８Ｂ】第１の実施例のシャッタ装置の動作状態を示す図（その１）である。
【図８Ｃ】第１の実施例のシャッタ装置の動作状態を示す図（その２）である。
【図９Ａ】図３Ｂに示したシャッタ装置の第２の実施例の分解斜視図である。
【図９Ｂ】第２の実施例としてのシャッタ装置の動作状態を示す図（その１）である。
【図９Ｃ】第２の実施例としてのシャッタ装置の動作状態を示す図（その２）である。
【図１０Ａ】図３Ｂに示したシャッタ装置（絞り装置）の第３の実施例の分解斜視図である。
【図１０Ｂ】第３の実施例としての絞り装置の動作状態を示す図（その１）である。
【図１０Ｃ】第３の実施例としての絞り装置の動作状態を示す図（その２）である。
【符号の説明】
【００５４】
１      デジタルカメラ
２      撮影レンズ窓
３      ストロボ照射窓
４      レリーズボタン
５      回路基板
７      レンズ装置
Ｏ１    光軸
Ｏ２    第２の光軸
８      第１の固定鏡枠部
９      第１の固定レンのズ部
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１    シャッタ装置（絞り装置）
２２    光学的開口部
２３    退避部
２４    固定子
２５    移動子
２６    光学的開口部
２７    帯状電極
２８    駆動回路
２９    誘電体（エレクトレット）
３１    パルス発生回路
３２    昇圧回路
３３    位相器
３４    押さえ板
３５    遮光幕
３６    スペーサ
３７    基板
３８、３８´  帯状電極
３９    光学的開口部
４１    絞り孔
４２    遮光幕
４３    退避部側の位置
４４    遮光幕が光学的開口部と重なる状態の位置
【図１Ａ】
2006018105.tif 000003
【図１Ｂ】
2006018105.tif 000004
【図２】
2006018105.tif 000005
【図３】
2006018105.tif 000006
【図４Ａ】
2006018105.tif 000007
【図４Ｂ】
2006018105.tif 000008
【図５】
2006018105.tif 000009
【図６】
2006018105.tif 000010
【図７Ａ】
2006018105.tif 000011
【図７Ｂ】
2006018105.tif 000012
【図７Ｃ】
2006018105.tif 000013
【図７Ｄ】
2006018105.tif 000014
【図８Ａ】
2006018105.tif 000015
【図８Ｂ】
2006018105.tif 000016
【図８Ｃ】
2006018105.tif 000017
【図９Ａ】
2006018105.tif 000018
【図９Ｂ】
2006018105.tif 000019
【図９Ｃ】
2006018105.tif 000020
【図１０Ａ】
2006018105.tif 000021
【図１０Ｂ】
2006018105.tif 000022
【図１０Ｃ】
2006018105.tif 000023